(57)【要約】【課題】スライドショーにおいて再生する楽曲を自動的に選択しながらも、当該楽曲を、利用者にとって聴き心地よく再生する。【解決手段】楽曲を再生しつつ、複数の画像を順次表示する電子アルバム表示システムであって、複数の画像のそれぞれを画像属性情報に対応付けて格納している画像格納部と、少なくとも一部の画像を画像グループとして選択する画像選択部と、複数の楽曲のそれぞれを楽曲属性情報に対応付けて格納している楽曲格納部と、画像グループに含まれる画像のそれぞれに対応する画像属性情報、及び複数の楽曲のそれぞれに対応する楽曲属性情報の関連度に基づいて楽曲を選択する楽曲選択部と、画像グループに含まれる画像を順次表示する画像表示部と、画像が順次表示されている場合に、選択された楽曲を再生する楽曲再生部とを備える電子アルバム表示システムを提供する。【選択図】図１
2007079867.tif 000002
【特許請求の範囲】
【請求項１】
楽曲を再生しつつ、複数の画像を順次表示する電子アルバム表示システムであって、
前記複数の画像のそれぞれを、当該画像に固有の情報である画像属性情報に対応付けて格納している画像格納部と、
前記複数の画像のうち、予め定められた表示スケジュールの順に表示される、少なくとも一部の前記画像を、画像グループとして選択する画像選択部と、
複数の前記楽曲のそれぞれを、当該楽曲に固有の情報である楽曲属性情報に対応付けて格納している楽曲格納部と、
前記画像グループに含まれる前記画像のそれぞれに対応付けて前記画像格納部に格納されている前記画像属性情報、及び前記複数の楽曲のそれぞれに対応付けて前記楽曲格納部に格納されている前記楽曲属性情報の関連度に基づいて、前記複数の楽曲から前記楽曲を選択する楽曲選択部と、
前記画像グループに含まれる前記画像を順次表示する画像表示部と、
前記画像グループに含まれる前記画像が前記画像表示部により順次表示されている場合に、当該画像グループについて前記楽曲選択部により選択された前記楽曲を再生する楽曲再生部と
を備える電子アルバム表示システム。
【請求項２】
前記画像格納部は、前記複数の画像のそれぞれを、当該画像の撮像日時を示す撮像日時情報に対応付けて格納しており、
前記楽曲格納部は、前記複数の楽曲のそれぞれを、当該楽曲について予め定められた期間を示す期間情報に対応付けて格納しており、
前記楽曲選択部は、前記画像グループに含まれるすべての前記画像の撮像日時が含まれる前記期間を示す前記期間情報に対応する前記楽曲を、前記複数の楽曲から選択する
請求項１に記載の電子アルバム表示システム。
【請求項３】
前記画像格納部は、前記複数の画像のそれぞれを、当該画像の撮像地点を示す撮像地点情報に対応付けて格納しており、
前記楽曲格納部は、前記複数の楽曲のそれぞれを、当該楽曲に関連する地域を示す地域情報に対応付けて格納しており、
前記楽曲選択部は、前記画像グループに含まれるすべての前記画像の撮像地点が含まれる地域、及び前記複数の楽曲のそれぞれにおける前記地域情報の関連度に基づいて、前記複数の楽曲から前記楽曲を選択する
請求項１に記載の電子アルバム表示システム。
【請求項４】
前記画像格納部は、前記複数の画像のそれぞれを、当該画像の内容を示す画像内容情報に対応付けて格納しており、
前記楽曲格納部は、前記複数の楽曲のそれぞれを、当該楽曲の内容を示す楽曲内容情報に対応付けて格納しており、
前記楽曲選択部は、前記画像グループに含まれるすべての前記画像に共通する前記画像内容情報、及び前記複数の楽曲のそれぞれにおける前記楽曲内容情報の関連度に基づいて、前記複数の楽曲から前記楽曲を選択する
請求項１に記載の電子アルバム表示システム。
【請求項５】
前記画像格納部は、前記複数の画像のそれぞれを、当該画像の特徴を示すキーワードに対応付けて格納しており、
前記楽曲格納部は、前記複数の楽曲のそれぞれを、当該楽曲の特徴を示すキーワードに対応付けて格納しており、
前記楽曲選択部は、前記画像グループに含まれるすべての前記画像に共通するキーワード、及び前記複数の楽曲のそれぞれに対応するキーワードの関連度に基づいて、前記複数の楽曲から前記楽曲を選択する
請求項１に記載の電子アルバム表示システム。
【請求項６】
前記画像選択部は、前記複数の画像のうち、前記表示スケジュールの順に表示される少なくとも一部の前記画像において、それぞれの前記画像の前記画像属性情報における関連度が予め定められた基準値以上である場合に、当該少なくとも一部の画像を、前記画像グループとして選択する請求項１に記載の電子アルバム表示システム。
【請求項７】
前記画像選択部は、前記複数の画像のそれぞれに対応付けられている複数の前記画像属性情報のうち、何れの前記画像属性情報における関連度に基づいて前記画像グループを選択するかを、前記画像属性情報における関連度に基づいて選択した前記画像グループに含まれる前記画像のそれぞれにおける表示時間の総和が、予め定められた基準値以上となるか否かに基づいて決定する請求項６に記載の電子アルバム表示システム。
【請求項８】
前記画像表示部は、前記画像グループに含まれる前記画像のそれぞれにおける表示時間の総和が予め定められた基準値以上となるべく、前記画像グループに含まれる前記画像のそれぞれにおける表示時間を制御する請求項１に記載の電子アルバム表示システム。
【請求項９】
前記画像グループに含まれる前記画像のそれぞれについて、当該画像に対応付けて前記画像格納部に格納されている前記画像属性情報、及び前記複数の楽曲のそれぞれに対応付けて前記楽曲格納部に格納されている前記楽曲属性情報に基づいて、前記複数の楽曲から、再生される前記楽曲の候補である楽曲候補を選択する楽曲候補選択部
を更に備え、
前記楽曲選択部は、前記画像グループに含まれる前記画像のそれぞれについて選択された前記楽曲候補のうち、最も多く重複して選択された前記楽曲候補を、再生される前記楽曲として選択する
請求項１に記載の電子アルバム表示システム。
【請求項１０】
前記楽曲候補選択部は、前記画像グループに含まれる前記画像のそれぞれについて、複数の前記楽曲候補を選択すると共に、選択したそれぞれの前記楽曲候補のそれぞれに、当該画像における前記画像属性情報及び当該楽曲候補における前記楽曲属性情報の関連度に基づいた重みを付与し、
前記楽曲選択部は、前記画像グループに含まれる前記画像のそれぞれについて選択された前記複数の楽曲候補のそれぞれに付与された前記重みのそれぞれに基づいて、再生される前記楽曲を選択する
請求項９に記載の電子アルバム表示システム。
【請求項１１】
楽曲を再生しつつ、複数の画像を順次表示する電子アルバム表示方法であって、
画像格納部は、前記複数の画像のそれぞれを、当該画像に固有の情報である画像属性情報に対応付けて格納しており、
楽曲格納部は、複数の前記楽曲のそれぞれを、当該楽曲に固有の情報である楽曲属性情報に対応付けて格納しており、
当該電子アルバム表示方法は、
前記複数の画像のうち、予め定められた表示スケジュールの順に表示される、少なくとも一部の前記画像を、画像グループとして選択する画像選択段階と、
前記画像グループに含まれる前記画像のそれぞれに対応付けて前記画像格納部に格納されている前記画像属性情報、及び前記複数の楽曲のそれぞれに対応付けて前記楽曲格納部に格納されている前記楽曲属性情報の関連度に基づいて、前記複数の楽曲から前記楽曲を選択する楽曲選択段階と、
前記画像グループに含まれる前記画像を順次表示する画像表示段階と、
前記画像グループに含まれる前記画像が前記画像表示段階において順次表示されている場合に、当該画像グループについて前記楽曲選択段階において選択された前記楽曲を再生する楽曲再生段階と
を備える電子アルバム表示システム。
【請求項１２】
前記画像グループに含まれる前記画像のそれぞれについて、当該画像に対応付けて前記画像格納部に格納されている前記画像属性情報、及び前記複数の楽曲のそれぞれに対応付けて前記楽曲格納部に格納されている前記楽曲属性情報に基づいて、前記複数の楽曲から、再生される前記楽曲の候補である楽曲候補を選択する楽曲候補選択段階
を更に備え、
前記楽曲選択段階は、前記画像グループに含まれる前記画像のそれぞれについて選択された前記楽曲候補のうち、最も多く重複して選択された前記楽曲候補を、再生される前記楽曲として選択する
請求項１１に記載の電子アルバム表示方法。
【請求項１３】
楽曲を再生しつつ、複数の画像を順次表示する電子アルバム表示システムとしてコンピュータを機能させる電子アルバム表示プログラムであって、
前記コンピュータを、
前記複数の画像のそれぞれを、当該画像に固有の情報である画像属性情報に対応付けて格納している画像格納部と、
前記複数の画像のうち、予め定められた表示スケジュールの順に表示される、少なくとも一部の前記画像を、画像グループとして選択する画像選択部と、
複数の前記楽曲のそれぞれを、当該楽曲に固有の情報である楽曲属性情報に対応付けて格納している楽曲格納部と、
前記画像グループに含まれる前記画像のそれぞれに対応付けて前記画像格納部に格納されている前記画像属性情報、及び前記複数の楽曲のそれぞれに対応付けて前記楽曲格納部に格納されている前記楽曲属性情報の関連度に基づいて、前記複数の楽曲から前記楽曲を選択する楽曲選択部と、
前記画像グループに含まれる前記画像を順次表示する画像表示部と、
前記画像グループに含まれる前記画像が前記画像表示部により順次表示されている場合に、当該画像グループについて前記楽曲選択部により選択された前記楽曲を再生する楽曲再生部と
を備える電子アルバム表示システムとして機能させる電子アルバム表示プログラム。
【請求項１４】
前記電子アルバム表示システムは、
前記画像グループに含まれる前記画像のそれぞれについて、当該画像に対応付けて前記画像格納部に格納されている前記画像属性情報、及び前記複数の楽曲のそれぞれに対応付けて前記楽曲格納部に格納されている前記楽曲属性情報に基づいて、前記複数の楽曲から、再生される前記楽曲の候補である楽曲候補を選択する楽曲候補選択部
を更に備え、
前記楽曲選択部は、前記画像グループに含まれる前記画像のそれぞれについて選択された前記楽曲候補のうち、最も多く重複して選択された前記楽曲候補を、再生される前記楽曲として選択する
ことを特徴とする請求項１３に記載の電子アルバム表示プログラム。
【発明の詳細な説明】
【技術分野】
【０００１】
本発明は、電子アルバム表示システム、電子アルバム表示方法、及び電子アルバム表示プログラムに関する。特に本発明は、楽曲を再生しつつ、複数の画像を順次表示する電子アルバム表示システム、電子アルバム表示方法、及び電子アルバム表示プログラムに関する。
【背景技術】
【０００２】
従来、複数の画像をスライドショーとして順次表示する電子アルバム表示システムが知られている。更に、画像の表示に伴い、ＢＧＭ（Ｂａｃｋｇｒｏｕｎｄ  Ｍｕｓｉｃ）として楽曲を再生することにより、利用者の満足度を向上させることを狙った電子アルバム表示システムが知られている。しかし、これらの電子アルバム表示システムにおいては、多くの場合、再生する楽曲を利用者が手動で指定する必要があるため、利用者の負担が大きいことが懸念されていた。
【０００３】
そこで、表示する画像毎に、当該画像における撮像日時に適した楽曲、例えば冬に撮像された画像を表示する場合には、「冬の曲」として登録されている楽曲を再生することにより、利用者のかかる負担を低く抑えながらも、表示する画像に適した楽曲を再生することのできる技術が公開されている（例えば、特許文献１参照。）。
【特許文献１】特開平９−２２４１６
【発明の開示】
【発明が解決しようとする課題】
【０００４】
一般に、スライドショーにおける１枚あたりの画像の表示時間は数秒程度である。また、一般的な楽曲は、５秒や１０秒といった短い時間ではなく、より長い時間再生されることを想定して制作されている場合が多い。従って、特許文献１に係る電子アルバム表示システムのように、画像毎にＢＧＭとなる楽曲を選択する場合には、再生される楽曲の切り替わりが頻繁に発生するために、利用者が、再生される楽曲を耳障りと感じることが多く、楽曲をＢＧＭとして再生することによって利用者の満足度を向上させるという目的が十分に達成されない場合があった。
【０００５】
そこで本発明は、上記の課題を解決することができる電子アルバム表示システム、電子アルバム表示方法、及び電子アルバム表示プログラムを提供することを目的とする。この目的は特許請求の範囲における独立項に記載の特徴の組み合わせにより達成される。また従属項は本発明の更なる有利な具体例を規定する。
【課題を解決するための手段】
【０００６】
上記課題を解決するために、本発明の第１の形態においては、楽曲を再生しつつ、複数の画像を順次表示する電子アルバム表示システムであって、複数の画像のそれぞれを、当該画像に固有の情報である画像属性情報に対応付けて格納している画像格納部と、複数の画像のうち、予め定められた表示スケジュールの順に表示される、少なくとも一部の画像を、画像グループとして選択する画像選択部と、複数の楽曲のそれぞれを、当該楽曲に固有の情報である楽曲属性情報に対応付けて格納している楽曲格納部と、画像グループに含まれる画像のそれぞれに対応付けて画像格納部に格納されている画像属性情報、及び複数の楽曲のそれぞれに対応付けて楽曲格納部に格納されている楽曲属性情報の関連度に基づいて、複数の楽曲から楽曲を選択する楽曲選択部と、画像グループに含まれる画像を順次表示する画像表示部と、画像グループに含まれる画像が画像表示部により順次表示されている場合に、当該画像グループについて楽曲選択部により選択された楽曲を再生する楽曲再生部とを備える。
【０００７】
画像格納部は、複数の画像のそれぞれを、当該画像の撮像日時を示す撮像日時情報に対応付けて格納しており、楽曲格納部は、複数の楽曲のそれぞれを、当該楽曲について予め定められた期間を示す期間情報に対応付けて格納しており、楽曲選択部は、画像グループに含まれるすべての画像の撮像日時が含まれる期間を示す期間情報に対応する楽曲を、複数の楽曲から選択してもよい。画像格納部は、複数の画像のそれぞれを、当該画像の撮像地点を示す撮像地点情報に対応付けて格納しており、楽曲格納部は、複数の楽曲のそれぞれを、当該楽曲に関連する地域を示す地域情報に対応付けて格納しており、楽曲選択部は、画像グループに含まれるすべての画像の撮像地点が含まれる地域、及び複数の楽曲のそれぞれにおける地域情報の関連度に基づいて、複数の楽曲から楽曲を選択してもよい。
【０００８】
画像格納部は、複数の画像のそれぞれを、当該画像の内容を示す画像内容情報に対応付けて格納しており、楽曲格納部は、複数の楽曲のそれぞれを、当該楽曲の内容を示す楽曲内容情報に対応付けて格納しており、楽曲選択部は、画像グループに含まれるすべての画像に共通する画像内容情報、及び複数の楽曲のそれぞれにおける楽曲内容情報の関連度に基づいて、複数の楽曲から楽曲を選択してもよい。画像格納部は、複数の画像のそれぞれを、当該画像の特徴を示すキーワードに対応付けて格納しており、楽曲格納部は、複数の楽曲のそれぞれを、当該楽曲の特徴を示すキーワードに対応付けて格納しており、楽曲選択部は、画像グループに含まれるすべての画像に共通するキーワード、及び複数の楽曲のそれぞれに対応するキーワードの関連度に基づいて、複数の楽曲から楽曲を選択してもよい。
【０００９】
画像選択部は、複数の画像のうち、表示スケジュールの順に表示される少なくとも一部の画像において、それぞれの画像の画像属性情報における関連度が予め定められた基準値以上である場合に、当該少なくとも一部の画像を、画像グループとして選択してもよい。画像選択部は、複数の画像のそれぞれに対応付けられている複数の画像属性情報のうち、何れの画像属性情報における関連度に基づいて画像グループを選択するかを、画像属性情報における関連度に基づいて選択した画像グループに含まれる画像のそれぞれにおける表示時間の総和が、予め定められた基準値以上となるか否かに基づいて決定してもよい。画像表示部は、画像グループに含まれる画像のそれぞれにおける表示時間の総和が予め定められた基準値以上となるべく、画像グループに含まれる画像のそれぞれにおける表示時間を制御してもよい。
【００１０】
画像グループに含まれる画像のそれぞれについて、当該画像に対応付けて画像格納部に格納されている画像属性情報、及び複数の楽曲のそれぞれに対応付けて楽曲格納部に格納されている楽曲属性情報に基づいて、複数の楽曲から、再生される楽曲の候補である楽曲候補を選択する楽曲候補選択部を更に備え、楽曲選択部は、画像グループに含まれる画像のそれぞれについて選択された楽曲候補のうち、最も多く重複して選択された楽曲候補を、再生される楽曲として選択してもよい。楽曲候補選択部は、画像グループに含まれる画像のそれぞれについて、複数の楽曲候補を選択すると共に、選択したそれぞれの楽曲候補のそれぞれに、当該画像における画像属性情報及び当該楽曲候補における楽曲属性情報の関連度に基づいた重みを付与し、楽曲選択部は、画像グループに含まれる画像のそれぞれについて選択された複数の楽曲候補のそれぞれに付与された重みのそれぞれに基づいて、再生される楽曲を選択してもよい。
【００１１】
また、本発明の第２の形態においては、楽曲を再生しつつ、複数の画像を順次表示する電子アルバム表示方法であって、画像格納部は、複数の画像のそれぞれを、当該画像に固有の情報である画像属性情報に対応付けて格納しており、楽曲格納部は、複数の楽曲のそれぞれを、当該楽曲に固有の情報である楽曲属性情報に対応付けて格納しており、当該電子アルバム表示方法は、複数の画像のうち、予め定められた表示スケジュールの順に表示される、少なくとも一部の画像を、画像グループとして選択する画像選択段階と、画像グループに含まれる画像のそれぞれに対応付けて画像格納部に格納されている画像属性情報、及び複数の楽曲のそれぞれに対応付けて楽曲格納部に格納されている楽曲属性情報の関連度に基づいて、複数の楽曲から楽曲を選択する楽曲選択段階と、画像グループに含まれる画像を順次表示する画像表示段階と、画像グループに含まれる画像が画像表示段階において順次表示されている場合に、当該画像グループについて楽曲選択段階において選択された楽曲を再生する楽曲再生段階とを備える。
【００１２】
画像グループに含まれる画像のそれぞれについて、当該画像に対応付けて画像格納部に格納されている画像属性情報、及び複数の楽曲のそれぞれに対応付けて楽曲格納部に格納されている楽曲属性情報に基づいて、複数の楽曲から、再生される楽曲の候補である楽曲候補を選択する楽曲候補選択段階を更に備え、楽曲選択段階は、画像グループに含まれる画像のそれぞれについて選択された楽曲候補のうち、最も多く重複して選択された楽曲候補を、再生される楽曲として選択してもよい。
【００１３】
また、本発明の第３の形態においては、楽曲を再生しつつ、複数の画像を順次表示する電子アルバム表示システムとしてコンピュータを機能させる電子アルバム表示プログラムであって、コンピュータを、複数の画像のそれぞれを、当該画像に固有の情報である画像属性情報に対応付けて格納している画像格納部と、複数の画像のうち、予め定められた表示スケジュールの順に表示される、少なくとも一部の画像を、画像グループとして選択する画像選択部と、複数の楽曲のそれぞれを、当該楽曲に固有の情報である楽曲属性情報に対応付けて格納している楽曲格納部と、画像グループに含まれる画像のそれぞれに対応付けて画像格納部に格納されている画像属性情報、及び複数の楽曲のそれぞれに対応付けて楽曲格納部に格納されている楽曲属性情報の関連度に基づいて、複数の楽曲から楽曲を選択する楽曲選択部と、画像グループに含まれる画像を順次表示する画像表示部と、画像グループに含まれる画像が画像表示部により順次表示されている場合に、当該画像グループについて楽曲選択部により選択された楽曲を再生する楽曲再生部とを備える電子アルバム表示システムとして機能させる。
【００１４】
電子アルバム表示システムは、画像グループに含まれる画像のそれぞれについて、当該画像に対応付けて画像格納部に格納されている画像属性情報、及び複数の楽曲のそれぞれに対応付けて楽曲格納部に格納されている楽曲属性情報に基づいて、複数の楽曲から、再生される楽曲の候補である楽曲候補を選択する楽曲候補選択部を更に備え、楽曲選択部は、画像グループに含まれる画像のそれぞれについて選択された楽曲候補のうち、最も多く重複して選択された楽曲候補を、再生される楽曲として選択してもよい。
【００１５】
なお、上記の発明の概要は、本発明の必要な特徴の全てを列挙したものではなく、これらの特徴群のサブコンビネーションもまた、発明となりうる。
【発明の効果】
【００１６】
本発明によれば、スライドショーにおいて再生する楽曲を、表示する画像に基づいて自動的に選択しながらも、当該楽曲を、利用者にとって聴き心地よく再生することができる。
【発明を実施するための最良の形態】
【００１７】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１８】
図１は、本発明の第１の実施形態に係る電子アルバム表示システム１０の構成の一例を示すブロック図である。電子アルバム表示システム１０は、楽曲を再生しつつ、複数の画像を、スライドショーにより順次表示する。電子アルバム表示システム１０は、例えば、パーソナルコンピュータ等の情報処理システムであってよく、また、例えば、フラッシュメモリ等の記録媒体に記録された画像データを順次映像信号として出力すると共に、記録媒体等に記録された楽曲データを順次音声信号として出力することのできる映像音声処理装置と、出力された映像信号を映像として表示すると共に、出力された音声信号を音声として発することのできる、テレビ受像機等の出力装置とを備える映像音声処理システムであってもよい。なお、当該映像音声処理装置は、当該映像信号及び音声信号を、ＣＤ、ＤＶＤ、半導体メモリ等の記憶媒体に出力してもよい。例えば、映像音声処理装置は、当該映像信号及び音声信号を含むスライドショーデータを、Ｖｉｄｅｏ  ＣＤ形式又はＤＶＤ−Ｖｉｄｅｏ形式でＣＤ又はＤＶＤにそれぞれ出力してよい。他にも、映像音声処理装置は、当該映像信号及び音声信号をインターネット等の通信回線に出力してもよい。また、出力装置は、記憶媒体又は通信回線等を介して映像信号及び音声信号を受け取って、受け取った映像信号を表示するのと同時に、受け取った音声信号を音声として出力してもよい。なお、映像音声処理装置は、例えばコンビニエンスストア、デジタルフォトショップ等の店舗に設けられるキオスク端末であってよい。
【００１９】
本発明の第１の実施形態に係る電子アルバム表示システム１０は、スライドショーとして複数の画像を表示する場合に、ＢＧＭである楽曲を、表示する画像に基づいて自動的に選択しながらも、利用者にとって聴き心地よく再生することを目的とする。また、利用者が選択したスライドショーとして表示させる画像に基づいて、利用者にとって聴き心地よく再生することができるＢＧＭである楽曲を自動的に選択して電子アルバムデータを生成し、生成した電子アルバムデータをユーザに提供する映像音声処理装置を提供することを目的とする。
【００２０】
電子アルバム表示システム１０は、画像格納部１００、画像選択部１１０、楽曲格納部１２０、楽曲選択部１３０、画像表示部１４０、及び楽曲再生部１５０を備える。画像格納部１００は、スライドショーにおいて表示される複数の画像のそれぞれを、当該画像に固有の情報である画像属性情報に対応付けて格納している。画像格納部１００は、例えば、ハードディスクドライブ等の記憶装置であってよく、また、例えば、フラッシュメモリ等の半導体記録媒体、ＣＤ−ＲＯＭ等の光学記録媒体、若しくはＭＯ等の光磁気記録媒体といった記録媒体を用いる記録装置であってもよい。また、それぞれの画像に対応付けられた画像属性情報とは、例えば、当該画像の撮像日時を示す撮像日時情報や、当該画像の撮像地点を示す撮像地点情報等であってよい。
【００２１】
画像選択部１１０は、画像格納部１００に格納されている複数の画像のうち、予め定められた表示スケジュールの順に表示される、少なくとも一部の画像を、画像グループとして選択する。例えば、画像選択部１１０は、画像格納部１００に格納されている複数の画像のうち、予め定められた表示スケジュールの順に表示される少なくとも一部の画像において、それぞれの画像の画像属性情報における関連度が予め定められた基準値以上である場合に、当該少なくとも一部の画像を、画像グループとして選択する。ここで、予め定められた表示スケジュールとは、スライドショーにおける複数の画像の表示順序等を含む情報である。そして、画像選択部１１０は、選択した画像グループに含まれる画像、及びそれぞれの画像に対応付けられている画像属性情報を、画像グループ属性情報判定部１１５及び画像表示部１４０に出力する。画像グループ属性情報判定部１１５は、画像選択部１１０が選択した画像グループに含まれる画像に対応付けられている画像属性情報に基づいて、画像選択部１１０が選択した画像グループにおける特徴的な属性情報を抽出する。例えば、画像グループ属性情報判定部１１５は、画像選択部１１０が選択した画像グループに含まれる画像に対応付けられている画像属性情報のうち、予め定められた基準値以上の関連度を互いに有する画像属性情報を、画像グループにおける特徴的な属性情報として抽出してよい。
【００２２】
楽曲格納部１２０は、スライドショーにおいて再生される複数の楽曲のそれぞれを、当該楽曲に固有の情報である楽曲属性情報に対応付けて格納している。楽曲格納部１２０は、例えば、ハードディスクドライブ等の記憶装置であってよく、また、例えば、フラッシュメモリ等の半導体記録媒体、ＣＤ−ＲＯＭ等の光学記録媒体、若しくはＭＯ等の光磁気記録媒体といった記録媒体を用いる記録装置であってもよい。また、楽曲属性情報とは、例えば、楽曲の内容に適した季節を示す期間等であってよい。
【００２３】
楽曲選択部１３０は、画像選択部１１０により選択された画像グループに含まれる画像のそれぞれに対応する画像属性情報と、複数の楽曲のそれぞれに対応付けて楽曲格納部１２０に格納されている楽曲属性情報との関連度に基づいて、当該複数の楽曲から、当該画像グループに含まれる画像の表示中に再生される楽曲を選択する。例えば、楽曲選択部１３０は、複数の楽曲のそれぞれにおける楽曲属性情報のうち、画像グループ属性情報判定部１１５が抽出した画像グループにおける特徴的な属性情報に対する関連度の最も高い楽曲属性情報に対応する楽曲を、当該画像グループに含まれる画像の表示中に再生される楽曲として選択する。そして、楽曲選択部１３０は、選択した楽曲を楽曲再生部１５０に出力する。
【００２４】
画像表示部１４０は、画像選択部１１０により選択された画像グループに含まれる画像を順次表示する。楽曲再生部１５０は、画像選択部１１０により選択された画像グループに含まれる画像が、画像表示部１４０により順次表示されている場合に、当該画像グループについて楽曲選択部１３０により選択された楽曲を再生する。なお、映像音声処理装置は、電子アルバム表示システム１０が備える構成要素における画像表示部１４０及び楽曲再生部１５０に代えて、画像選択部１１０により選択された画像グループに含まれる画像と、当該画像グループについて楽曲選択部１３０により選択された楽曲とを、当該画像が順次表示されるのと同時に再生すべく対応づけられた電子アルバムデータを格納する電子アルバムデータ格納部を備えてよい。また、映像音声処理装置は、当該電子アルバムデータ格納部が格納する電子アルバムデータを出力する出力部をさらに備えてよい。具体的には、当該電子アルバムデータ格納部は、スライドショーデータ等の、映像信号及び音声信号を含む電子アルバムデータを格納し、当該出力部は、当該電子アルバムデータ格納部が格納する電子アルバムデータを、記憶媒体又はインターネット等の通信回線に出力する。
【００２５】
本発明の第１の実施形態に係る電子アルバム表示システム１０によれば、画像グループに含まれる画像の画像属性情報と楽曲属性情報との関連度が高い楽曲を、画像グループに含まれる画像の表示中に再生することができる。これにより、１画像毎に再生する楽曲を選択する従来の電子アルバム表示システムを用いる場合に比べて、表示する画像に適した楽曲を、利用者が耳障りだと感じない程度に十分な長さで再生することができる。以上により、利用者自身に楽曲を選択させるという、利用者にとって負担の大きい方法を用いることなく、表示する画像とＢＧＭとして再生する楽曲との一体感を利用者に強く感じさせることのできる、品質の高いスライドショーを利用者に提供することができる。
【００２６】
また、画像属性情報の関連度に基づいて画像グループを選択することにより、内容にまとまりのある画像群について、その内容に適した楽曲をＢＧＭとして再生することができるので、表示する画像とＢＧＭとして再生する画像との一体感を、より強く利用者に感じさせることができる。
【００２７】
図２は、本発明の第１の実施形態に係る画像格納部１００の第１の例を示す。また、図３は、本発明の第１の実施形態に係る楽曲格納部１２０の第１の例を示す。画像格納部１００は、例えば図２に示すように、スライドショーにおいて表示される複数の画像のそれぞれを、画像属性情報の一例である、当該画像の撮像日時を示す撮像日時情報に対応付けて格納している。ここで、撮像日時情報とは、例えば、デジタルカメラがそれぞれの画像を撮像した際に、当該デジタルカメラが備えるカレンダー機能及び時計機能により取得された情報であってよい。また、撮像日時情報は、例えば、それぞれの画像におけるＥｘｉｆ（Ｅｘｃｈａｎｇａｂｌｅ  ｉｍａｇｅ  ｆｉｌｅ）フォーマットのタグ情報として、当該画像に対応付けて格納されていてよい。
【００２８】
また、楽曲格納部１２０は、例えば図３に示すように、スライドショーにおいて再生される複数の楽曲のそれぞれを、楽曲属性情報の一例である、当該楽曲について予め定められた期間を示す期間情報に対応付けて格納している。ここで、期間情報により示される期間とは、例えば「冬の曲」といった、それぞれの楽曲の内容に合った季節等を示す期間であってよく、また、例えば「１９８０年に流行した曲」といった、それぞれの楽曲に関連する時代や年代等を示す期間であってもよい。そして、楽曲選択部１３０は、画像選択部１１０により選択された画像グループに含まれるすべての画像の撮像日時が含まれる期間を示す期間情報に対応する楽曲を、当該画像グループに含まれる画像の表示中に再生される楽曲として、楽曲格納部１２０に格納されている複数の楽曲から選択する。例えば、選択された画像グループに含まれるすべての画像の撮像日時が、１２月１日から２月２８日の期間に含まれる場合、楽曲選択部１３０は、当該画像グループに含まれる画像の表示中に再生される楽曲として、楽曲３００を選択する。
【００２９】
本発明の第１の実施形態に係る電子アルバム表示システム１０によれば、画像グループとして選択した画像の撮像日時が含まれる季節、及び正月やクリスマスといった年次の行事等に合った楽曲、並びに画像グループとして選択した画像の撮像日時が含まれる年代に流行した楽曲等を、ＢＧＭとして再生することができる。これにより、表示する画像と再生する楽曲との一体感を、より強く利用者に感じさせることができる。
【００３０】
図４は、本発明の第１の実施形態に係る画像格納部１００の第２の例を示す。また、図５は、本発明の第１の実施形態に係る楽曲格納部１２０の第２の例を示す。画像格納部１００は、例えば図４に示すように、スライドショーにおいて表示される複数の画像のそれぞれを、画像属性情報の一例である、当該画像の撮像地点を示す撮像地点情報に対応付けて格納している。ここで、撮像地点情報とは、例えば、デジタルカメラがそれぞれの画像を撮像した際に、当該デジタルカメラが備えるＧＰＳ（Ｇｌｏｂａｌ  Ｐｏｓｉｔｉｏｎｉｎｇ  Ｓｙｓｔｅｍ）機能により取得された、撮像地点の緯度及び経度を示す情報であってよい。また、撮像地点情報は、例えば、それぞれの画像におけるＥｘｉｆ（Ｅｘｃｈａｎｇａｂｌｅ  ｉｍａｇｅ  ｆｉｌｅ）フォーマットのタグ情報として、当該画像に対応付けて格納されていてよい。
【００３１】
また、楽曲格納部１２０は、例えば図５に示すように、スライドショーにおいて再生される複数の楽曲のそれぞれを、楽曲属性情報の一例である、当該楽曲に関連する地域を示す地域情報に対応付けて格納している。ここで、地域情報とは、例えば「山の曲」や「海の曲」といった、それぞれの楽曲の内容、例えば歌詞の内容等により示される地域の種類を示す情報であってよく、また、例えば「東京の曲」といった、それぞれの楽曲の内容、例えば歌詞の内容等により示される地名を示す情報であってもよい。そして、楽曲選択部１３０は、画像選択部１１０により選択された画像グループに含まれるすべての画像の撮像地点が含まれる地域、及び複数の楽曲のそれぞれにおける地域情報の関連度に基づいて、楽曲格納部１２０に格納されている複数の楽曲から、当該画像グループに含まれる画像の表示中に再生される楽曲を選択する。例えば、楽曲選択部１３０は、地図情報を有しており、選択された画像グループに含まれるすべての画像の撮像地点が含まれる地域の種類を、当該地図情報に基づいて、例えば海岸部であると検出することにより、複数の楽曲から、検出結果に対する関連度が他の楽曲に比べて高い、例えば「海」という地域情報が対応付けられている楽曲５１０を選択してよい。
【００３２】
本発明の第１の実施形態に係る電子アルバム表示システム１０によれば、画像グループとして選択した画像の撮像地点が含まれる地域の種類または地名等に対して関連度の高い楽曲を、ＢＧＭとして再生することができる。これにより、表示する画像と再生する楽曲との一体感を、より強く利用者に感じさせることができる。
【００３３】
図６は、本発明の第１の実施形態に係る画像格納部１００の第３の例を示す。また、図７は、本発明の第１の実施形態に係る楽曲格納部１２０の第３の例を示す。画像格納部１００は、例えば図６に示すように、スライドショーにおいて表示される複数の画像のそれぞれを、画像属性情報の一例である、当該画像の内容を示す画像内容情報に対応付けて格納している。ここで、画像内容情報とは、例えば、画像に含まれる被写体の種類等を示す情報であってよい。具体的には、画像格納部１００は、公知の画像認識技術を用いることにより、複数の画像のそれぞれについて予め抽出された被写体の種類、例えば「海」や「ウェディングドレス」等を、当該画像に対応付けて格納していてよい。
【００３４】
また、楽曲格納部１２０は、スライドショーにおいて再生される複数の楽曲のそれぞれを、楽曲属性情報の一例である、当該楽曲の内容を示す楽曲内容情報に対応付けて格納している。ここで、楽曲内容情報とは、例えば、楽曲の歌詞における主題や、当該楽曲が多く用いられる場面等を示す情報であってよい。例えば、楽曲格納部１２０は、それぞれの楽曲が、海を主題とした楽曲である場合には「海」という楽曲内容情報を、また、結婚式においてよく演奏される楽曲である場合には「結婚式」という楽曲内容情報を、当該楽曲に対応付けて格納していてよい。そして、楽曲選択部１３０は、画像選択部１１０により選択された画像グループに含まれるすべての画像に共通する画像内容情報と、楽曲格納部１２０に格納されている複数の楽曲のそれぞれにおける楽曲内容情報との関連度に基づいて、当該複数の楽曲から、当該画像グループに含まれる画像の表示中に再生される楽曲を選択する。例えば、楽曲選択部１３０は、選択された画像グループに含まれるすべての画像に共通する画像内容情報として「ウェディングドレス」を検出した場合、当該画像内容情報に対する関連度が他の楽曲に比べて高い「結婚式」という楽曲内容情報に対応する楽曲７１０を、当該画像グループに含まれる画像の表示中に再生される楽曲として選択する。
【００３５】
なお、本例において、画像内容情報及び楽曲内容情報は、予め抽出されて画像格納部１００または楽曲格納部１２０に格納されているとして説明したが、これに代えて、楽曲選択部１３０が、楽曲の選択に先立って、選択された画像グループに含まれる画像のそれぞれに対して画像認識処理を行うことにより当該画像における画像内容情報を抽出したり、また、楽曲格納部１２０に格納されている複数の楽曲のそれぞれに対して、音声認識処理等を行うことにより当該楽曲における楽曲内容情報を抽出したりすることにより、当該画像グループに含まれる画像の表示中に再生される楽曲を選択してもよい。
【００３６】
本発明の第１の実施形態に係る電子アルバム表示システム１０によれば、画像グループとして選択した画像の内容に対して関連度の高い内容を有する楽曲を、ＢＧＭとして再生することができる。これにより、表示する画像と再生する楽曲との一体感を、より強く利用者に感じさせることができる。
【００３７】
なお、画像格納部１００及び楽曲格納部１２０は、図２から図７にかけて例に挙げて説明した画像属性情報及び楽曲属性情報の他に、多様な画像属性情報及び楽曲属性情報を格納していてよい。例えば、画像格納部１００は、スライドショーにおいて表示される複数の画像のそれぞれを、当該画像の特徴を示すキーワードに対応付けて格納していてよい。また、例えば、楽曲格納部１２０は、スライドショーにおいて再生される複数の楽曲のそれぞれを、当該楽曲の特徴を示すキーワードに対応付けて格納していてよい。ここで、キーワードとは、例えば、それぞれの画像または楽曲に対して、利用者によって予め対応付けられたキーワードであってよい。
【００３８】
これらの場合、楽曲選択部１３０は、画像選択部１１０により選択された画像グループに含まれるすべての画像に共通するキーワードと、楽曲格納部１２０に格納されている複数の楽曲のそれぞれに対応するキーワードとの関連度に基づいて、当該複数の楽曲から、当該画像グループに含まれる画像の表示中に再生される楽曲を選択する。具体的には、楽曲選択部１３０は、画像グループに含まれるすべての画像に共通するキーワードと、一の楽曲に対応するキーワードとが、一致している場合、または他の楽曲のキーワードに比べて関連度が高い場合に、当該一の楽曲を、当該画像グループに含まれる画像の表示中に再生される楽曲として選択する。
【００３９】
これにより、画像グループとして選択した画像に対応付けられたキーワードに対して関連度の高いキーワードを有する楽曲を、ＢＧＭとして再生することができるので、表示する画像と再生する楽曲との一体感を、より強く利用者に感じさせることができる。
【００４０】
また、図２から図７にかけて説明した画像格納部１００のそれぞれは、単一の画像属性情報のみを画像に対応付けて格納しているが、これに代えて、画像格納部１００は、複数の画像属性情報を１つの画像に対応付けて格納していてもよい。また、同様に、楽曲格納部１２０は、複数の楽曲属性情報を１つの楽曲に対応付けて格納していてもよい。
【００４１】
図８は、本発明の第１の実施形態に係る電子アルバム表示システム１０における処理の流れの一例を示すフローチャートである。まず、画像選択部１１０は、画像格納部１００に格納されている複数の画像のうち、予め定められた表示スケジュールの順に表示される少なくとも一部の画像において、それぞれの画像の画像属性情報における関連度が予め定められた基準値以上である場合に、当該少なくとも一部の画像を、画像グループとして順次選択する（Ｓ１０００）。例えば、画像選択部１１０は、それぞれの画像の撮像日時を示す撮像日時情報が、画像属性情報として当該画像に対応付けられている場合に、複数の画像のうち、前後する２つの画像における撮像日時の差が、例えば１日等の予め定められた基準値以下である一連の画像を、画像グループとして選択する。また、例えば、画像選択部１１０は、それぞれの画像の撮像地点を示す撮像地点情報が、画像属性情報として当該画像に対応付けられている場合に、複数の画像のうち、前後する２つの画像における撮像地点の差が、例えば１０ｋｍ等の予め定められた基準値以下である一連の画像を、画像グループとして選択する。
【００４２】
更に、画像選択部１１０は、複数の画像のそれぞれに複数の画像属性情報が対応付けられている場合に、当該複数の画像属性情報のうち、何れの画像属性情報における関連度に基づいて画像グループを選択するかを、画像属性情報における関連度に基づいて選択した画像グループに含まれる画像のそれぞれにおける表示時間の総和が、予め定められた基準値以上となるか否かに基づいて決定してよい。ここで、画像グループに含まれる画像のそれぞれにおける表示時間の総和に対する予め定められた基準値とは、例えば、ＢＧＭとして再生される楽曲が切り替わる際に、利用者が耳障りだと感じない最短の時間であってよい。例えば、画像表示部１４０における、それぞれの画像の表示時間が、一様に３秒として予め定められているとする。また、それぞれの画像における表示時間の総和の基準値が、３０秒として予め定められているとする。つまり、この場合、画像グループに含まれる画像の数は、１０枚以上であることが好ましい。そして、画像格納部１００は、例えば撮像日時情報と撮像地点情報との２つの画像属性情報が、それぞれの画像に対応付けて格納されているとする。ここで、画像選択部１１０が、撮像日時情報に基づいて画像グループを選択すると、選択した画像グループに含まれる画像が８枚であり、また、撮像地点情報に基づいて画像グループを選択すると、選択した画像グループに含まれる画像が１０枚である場合、画像選択部１１０は、選択した画像グループに含まれる画像のそれぞれにおける表示時間の総和が基準値以上となるべく、撮像地点情報に基づいて画像グループを選択する。こうすることにより、それぞれの画像に複数の画像属性情報が対応付けられている場合には、ＢＧＭとして再生される楽曲を、より確実に、利用者が耳障りだと感じない程度に長い時間再生されるように画像グループを選択することができる。
【００４３】
続いて、電子アルバム表示システム１０は、以下の処理を、画像選択部１１０が順次選択した画像グループ毎に繰り返す（Ｓ１０１０）。まず、楽曲選択部１３０は、当該画像グループに含まれる画像のそれぞれに対応する画像属性情報と、楽曲格納部１２０に格納されている複数の楽曲のそれぞれに対応付けて格納されている楽曲属性情報との関連度に基づいて、当該複数の楽曲から、当該画像グループに含まれる画像の表示中に再生される楽曲を選択する（Ｓ１０２０）。続いて、楽曲再生部１５０は、楽曲選択部１３０により選択された楽曲を再生する（Ｓ１０３０）。
【００４４】
続いて、画像表示部１４０は、当該画像グループに含まれる画像を順次表示する（Ｓ１０４０）。ここで、画像表示部１４０は、当該画像グループに含まれる画像のそれぞれにおける表示時間の総和が、例えば３０秒等の予め定められた基準値以上となるべく、当該画像グループに含まれる画像のそれぞれにおける表示時間を、例えば３秒等として予め定められた標準の表示時間より長くする等して制御してもよい。こうすることにより、選択した画像グループに含まれる画像の数が十分に多くないことにより、ＢＧＭとして再生される楽曲の再生時間を、利用者が耳障りと感じない程度に長くすることができない場合であっても、それぞれの画像の表示時間を長くして、楽曲の再生時間を十分に長くすることができる。
そして、電子アルバム表示システム１０は、以上の処理を、画像選択部１１０が順次選択した画像グループ毎に繰り返す（Ｓ１０５０）。
【００４５】
図９は、本発明の第２の実施形態に係る電子アルバム表示システム２０の構成の一例を示すブロック図である。電子アルバム表示システム２０は、楽曲を再生しつつ、複数の画像を、例えばスライドショー等により順次表示する。電子アルバム表示システム２０は、例えば、パーソナルコンピュータ等の情報処理システムであってよく、また、例えば、フラッシュメモリ等の記録媒体に記録された画像データを順次映像信号として出力すると共に、記録媒体等に記録された楽曲データを順次音声信号として出力することのできる映像音声処理装置と、出力された映像信号を映像として表示すると共に、出力された音声信号を音声として発することのできる、テレビ受像機等の出力装置とを備える映像音声処理システムであってもよい。
【００４６】
本発明の第２の実施形態に係る電子アルバム表示システム２０は、スライドショーとして複数の画像を表示する場合に、ＢＧＭである楽曲を、表示する画像に基づいて自動的に選択しながらも、利用者にとって聴き心地よく再生することを目的とする。
【００４７】
電子アルバム表示システム２０は、画像格納部１００、画像選択部１１０、楽曲格納部１２０、楽曲候補選択部２２５、楽曲選択部２３０、画像表示部１４０、及び楽曲再生部１５０を備える。なお、本図に示した部材のうち、図１から図８に示した電子アルバム表示システム１０が備える部材と同一の符号を付した部材は、図１から図８における、対応する部材と同様の機能を有するので、相違点を除き、説明を省略する。
【００４８】
画像選択部１１０は、画像格納部１００に格納されている複数の画像のうち、予め定められた表示スケジュールの順に表示される、少なくとも一部の画像を、画像グループとして選択する。そして、画像選択部１１０は、選択した画像グループに含まれる画像、及び当該画像に対応付けられている画像属性情報を、楽曲候補選択部２２５及び画像表示部１４０に出力する。楽曲候補選択部２２５は、画像選択部１１０により選択された画像グループに含まれる画像のそれぞれについて、当該画像に対応付けて画像格納部１００に格納されている画像属性情報と、複数の楽曲のそれぞれに対応付けて楽曲格納部１２０に格納されている楽曲属性情報とに基づいて、当該複数の楽曲から、当該画像グループに含まれる画像の表示中に再生される楽曲の候補である楽曲候補を選択する。そして、楽曲候補選択部２２５は、選択した楽曲候補のそれぞれを、楽曲選択部２３０に出力する。楽曲選択部２３０は、画像選択部１１０により選択された画像グループに含まれる画像のそれぞれについて、楽曲候補選択部２２５により選択された楽曲候補のうち、最も多く重複して選択された楽曲候補を、当該画像グループに含まれる画像の表示中に再生される楽曲として選択する。
【００４９】
本発明の第２の実施形態に係る電子アルバム表示システム２０によれば、画像グループに含まれる画像において、撮像日時や撮像場所などの画像属性情報に偏りが少なく、共通する画像属性情報に対して関連度の高い楽曲属性情報を有する楽曲を選択できない場合であっても、当該画像グループに含まれる画像毎に選択された楽曲候補に基づいて、当該画像グループに含まれる画像の表示中に再生する楽曲を選択することができる。これにより、画像グループに含まれる画像のうち、より多くの画像に適した楽曲を、当該画像グループの表示中におけるＢＧＭとして再生することができるので、利用者自身に楽曲を選択させるという、利用者にとって負担の大きい方法を用いることなく、表示する画像とＢＧＭとして再生する楽曲との一体感を利用者に強く感じさせることのできる、品質の高いスライドショーを利用者に提供することができる。
【００５０】
図１０は、本発明の第２の実施形態に係る楽曲候補選択部２２５の処理の一例を示す。本例においては、画像選択部１１０が、画像８００及び画像８１０を画像グループとして選択したとする。ここで、説明を簡潔にするため、画像選択部１１０が２つの画像を選択するとしたが、画像選択部１１０の動作は、本例に記載する内容に限定されず、多様な数の画像を画像グループとして選択できることは明らかである。
【００５１】
続いて、楽曲候補選択部２２５は、本図に示すように、画像８００について、画像属性情報と楽曲属性情報との関連度が高い順に、楽曲Ａ、楽曲Ｂ、及び楽曲Ｃを楽曲候補として選択し、また、画像８１０について、楽曲Ｂ、楽曲Ｃ、楽曲Ａを楽曲候補として選択する。ここで、楽曲候補選択部２２５は、電子アルバム表示システム１０について図２から図７において説明したのと同様の方法により、画像属性情報に対する関連度が高い楽曲属性情報に対応する楽曲を、楽曲候補として選択してよい。但し、楽曲候補選択部２２５は、図２から図７において説明した楽曲選択部１３０とは異なり、画像グループに含まれる複数の画像における画像属性情報と、複数の楽曲のそれぞれにおける楽曲属性情報との関連度に基づいて楽曲を選択するのではなく、画像グループに含まれる画像毎に、当該画像の画像属性情報と、複数の楽曲のそれぞれにおける楽曲属性情報との関連度に基づいて楽曲候補を選択する。例えば、楽曲候補選択部２２５は、画像格納部１００が、複数の画像のそれぞれを当該画像の撮像日時に対応付けて格納している場合に、画像グループに含まれる画像毎に、当該画像の撮像日時を含む期間に対応する期間情報を有する楽曲を、楽曲候補として選択する。
【００５２】
また、楽曲候補選択部２２５は、画像グループに含まれる画像のそれぞれについて、複数の楽曲候補を選択する場合に、選択したそれぞれの楽曲候補のそれぞれに、当該画像における画像属性情報と、当該楽曲候補における楽曲属性情報との関連度に基づいた重みを付与してよい。例えば、楽曲候補選択部２２５は、本図に示すように、画像属性情報と楽曲属性情報との関連度が高い順に、３、２、１という３段階の重みを付与してよい。そして、楽曲選択部２３０は、画像選択部１１０により選択された画像グループに含まれる画像のそれぞれについて、楽曲候補選択部２２５により選択された複数の楽曲候補のそれぞれに付与された重みのそれぞれに基づいて、当該画像グループに含まれる画像の表示中に再生される楽曲を選択する。例えば、楽曲選択部２３０は、楽曲候補選択部２２５により選択された楽曲候補のそれぞれについて、当該楽曲候補に対して付与された重みの総和を算出し、算出した総和が最も大きい楽曲候補を、再生される楽曲として選択してよい。具体的には、楽曲選択部２３０は、本図に示すようにそれぞれの楽曲に重みを付与した場合、楽曲Ａにおける重みの総和は４であり、楽曲Ｂにおける重みの総和は５であり、また、楽曲Ｃにおける重みの総和は３であるので、楽曲Ｂを、再生される楽曲として選択する。
【００５３】
本発明の第２の実施形態に係る電子アルバム表示システム２０によれば、画像グループに含まれる画像毎に複数の楽曲候補を選択する場合であっても、ＢＧＭとして再生する楽曲を、より多くの画像に対して、より適した楽曲として選択することができるので、表示する画像とＢＧＭとして再生する楽曲との一体感をより強く利用者に感じさせることができる。
【００５４】
図１１は、本発明の第２の実施形態に係る電子アルバム表示システム２０における処理の流れの一例を示すフローチャートである。まず、画像選択部１１０は、画像格納部１００に格納されている複数の画像のうち、予め定められた表示スケジュールの順に表示される、少なくとも一部の画像を、画像グループとして順次選択する（Ｓ１１００）。そして、電子アルバム表示システム２０は、画像選択部１１０により順次選択された画像グループ毎に、以下の処理を繰り返す（Ｓ１１１０）。
【００５５】
更に、電子アルバム表示システム２０は、当該画像グループに含まれる画像毎に、以下の処理を繰り返す（Ｓ１１２０）。まず、楽曲候補選択部２２５は、当該画像に対応付けて画像格納部１００に格納されている画像属性情報と、楽曲格納部１２０に格納されている複数の楽曲のそれぞれに対応する楽曲属性情報とに基づいて、当該複数の楽曲から、当該画像グループに含まれる画像の表示中に再生される楽曲の候補である楽曲候補を選択する（Ｓ１１３０）。続いて、楽曲候補選択部２２５は、当該画像について選択した楽曲候補のそれぞれに、当該画像の画像属性情報と当該楽曲の楽曲属性情報との関連度に基づいた重みを付与する（Ｓ１１４０）。そして、電子アルバム表示システム２０は、Ｓ１１３０からＳ１１４０までの処理を、当該画像グループに含まれる画像毎に繰り返す（Ｓ１１５０）。
【００５６】
続いて、楽曲選択部２３０は、当該画像グループに含まれる画像のそれぞれについて選択された楽曲候補のそれぞれに付与された重みのそれぞれに基づいて、当該画像グループに含まれる画像の表示中に再生される楽曲を選択する（Ｓ１１６０）。続いて、楽曲再生部１５０は、楽曲選択部２３０により選択された楽曲を再生する（Ｓ１１７０）。続いて、画像表示部１４０は、当該画像グループに含まれる画像を順次表示する（Ｓ１１８０）。そして、電子アルバム表示システム２０は、Ｓ１１２０からＳ１１８０までの処理を、画像選択部１１０により順次選択された画像グループ毎に繰り返す（Ｓ１１９０）。
【００５７】
図１２は、本発明の実施形態に係るコンピュータ１５００のハードウェア構成の一例を示すブロック図である。本発明の実施形態に係るコンピュータ１５００は、ホスト・コントローラ１５８２により相互に接続されるＣＰＵ１５０５、ＲＡＭ１５２０、グラフィック・コントローラ１５７５、及び表示装置１５８０を有するＣＰＵ周辺部と、入出力コントローラ１５８４によりホスト・コントローラ１５８２に接続される通信インターフェイス１５３０、ハードディスクドライブ１５４０、及びＣＤ−ＲＯＭドライブ１５６０を有する入出力部と、入出力コントローラ１５８４に接続されるＲＯＭ１５１０、フレキシブルディスク・ドライブ１５５０、及び入出力チップ１５７０を有するレガシー入出力部とを備える。
【００５８】
ホスト・コントローラ１５８２は、ＲＡＭ１５２０と、高い転送レートでＲＡＭ１５２０をアクセスするＣＰＵ１５０５及びグラフィック・コントローラ１５７５とを接続する。ＣＰＵ１５０５は、ＲＯＭ１５１０及びＲＡＭ１５２０に格納されたプログラムに基づいて動作し、各部の制御を行う。グラフィック・コントローラ１５７５は、ＣＰＵ１５０５等がＲＡＭ１５２０内に設けたフレーム・バッファ上に生成する画像データを取得し、表示装置１５８０上に表示させる。これに代えて、グラフィック・コントローラ１５７５は、ＣＰＵ１５０５等が生成する画像データを格納するフレーム・バッファを、内部に含んでもよい。
【００５９】
入出力コントローラ１５８４は、ホスト・コントローラ１５８２と、比較的高速な入出力装置である通信インターフェイス１５３０、ハードディスクドライブ１５４０、ＣＤ−ＲＯＭドライブ１５６０を接続する。通信インターフェイス１５３０は、ネットワークを介して他の装置と通信する。ハードディスクドライブ１５４０は、コンピュータ１５００内のＣＰＵ１５０５が使用するプログラム及びデータを格納する。ＣＤ−ＲＯＭドライブ１５６０は、ＣＤ−ＲＯＭ１５９５からプログラム又はデータを読み取り、ＲＡＭ１５２０を介してハードディスクドライブ１５４０に提供する。
【００６０】
また、入出力コントローラ１５８４には、ＲＯＭ１５１０と、フレキシブルディスク・ドライブ１５５０、及び入出力チップ１５７０の比較的低速な入出力装置とが接続される。ＲＯＭ１５１０は、コンピュータ１５００が起動時に実行するブート・プログラムや、コンピュータ１５００のハードウェアに依存するプログラム等を格納する。フレキシブルディスク・ドライブ１５５０は、フレキシブルディスク１５９０からプログラム又はデータを読み取り、ＲＡＭ１５２０を介してハードディスクドライブ１５４０に提供する。入出力チップ１５７０は、フレキシブルディスク・ドライブ１５５０や、例えばパラレル・ポート、シリアル・ポート、キーボード・ポート、マウス・ポート等を介して各種の入出力装置を接続する。
【００６１】
ＲＡＭ１５２０を介してハードディスクドライブ１５４０に提供されるプログラムは、フレキシブルディスク１５９０、ＣＤ−ＲＯＭ１５９５、又はＩＣカード等の記録媒体に格納されて利用者によって提供される。プログラムは、記録媒体から読み出され、ＲＡＭ１５２０を介してコンピュータ１５００内のハードディスクドライブ１５４０にインストールされ、ＣＰＵ１５０５において実行される。コンピュータ１５００にインストールされて実行されるプログラムは、ＣＰＵ１５０５等に働きかけて、コンピュータ１５００を、図１から図１１にかけて説明した電子アルバム表示システム１０または電子アルバム表示システム２０として機能させる。
【００６２】
以上に示したプログラムは、外部の記憶媒体に格納されてもよい。記憶媒体としては、フレキシブルディスク１５９０、ＣＤ−ＲＯＭ１５９５の他に、ＤＶＤやＰＤ等の光学記録媒体、ＭＤ等の光磁気記録媒体、テープ媒体、ＩＣカード等の半導体メモリ等を用いることができる。また、専用通信ネットワークやインターネットに接続されたサーバシステムに設けたハードディスク又はＲＡＭ等の記憶装置を記録媒体として使用し、ネットワークを介してプログラムをコンピュータ１５００に提供してもよい。
【００６３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００６４】
【図１】本発明の第１の実施形態に係る電子アルバム表示システム１０の構成の一例を示すブロック図である。
【図２】本発明の第１の実施形態に係る画像格納部１００の第１の例を示す図である。
【図３】本発明の第１の実施形態に係る楽曲格納部１２０の第１の例を示す図である。
【図４】本発明の第１の実施形態に係る画像格納部１００の第２の例を示す図である。
【図５】本発明の第１の実施形態に係る楽曲格納部１２０の第２の例を示す図である。
【図６】本発明の第１の実施形態に係る画像格納部１００の第３の例を示す図である。
【図７】本発明の第１の実施形態に係る楽曲格納部１２０の第３の例を示す図である。
【図８】本発明の第１の実施形態に係る電子アルバム表示システム１０における処理の流れの一例を示すフローチャートである。
【図９】本発明の第２の実施形態に係る電子アルバム表示システム２０の構成の一例を示すブロック図である。
【図１０】本発明の第２の実施形態に係る楽曲候補選択部２２５の処理の一例を示す図である。
【図１１】本発明の第２の実施形態に係る電子アルバム表示システム２０における処理の流れの一例を示すフローチャートである。
【図１２】本発明の実施形態に係るコンピュータ１５００のハードウェア構成の一例を示すブロック図である。
【符号の説明】
【００６５】
１０  電子アルバム表示システム、２０  電子アルバム表示システム、１００  画像格納部、１１０  画像選択部、１１５  画像グループ属性情報判定部、１２０  楽曲格納部、１３０  楽曲選択部、１４０  画像表示部、１５０  楽曲再生部、２２５  楽曲候補選択部、２３０  楽曲選択部
【図１】
2007079867.tif 000003
【図２】
2007079867.tif 000004
【図３】
2007079867.tif 000005
【図４】
2007079867.tif 000006
【図５】
2007079867.tif 000007
【図６】
2007079867.tif 000008
【図７】
2007079867.tif 000009
【図８】
2007079867.tif 000010
【図９】
2007079867.tif 000011
【図１０】
2007079867.tif 000012
【図１１】
2007079867.tif 000013
【図１２】
2007079867.tif 000014